(57)【特許請求の範囲】
【請求項１】
カムピンが形成されたレンズ鏡筒と、前記カムピンが係合するカム溝が形成されたカム環と、を備え、前記カム環の回転により前記レンズ鏡筒を光軸方向に移動させる撮像装置であって、
前記レンズ鏡筒には、前記カムピンの前記カム溝からの脱落を防止するための脱落防止用ピンが形成され、
前記カム環には、前記脱落防止用ピンが係合する脱落防止用溝が形成され、
前記カム溝及び前記脱落防止用溝は、テレ位置とワイド位置の間の領域において重畳されておらず、沈胴位置とワイド位置の間の領域において重畳されて前記カムピン及び前記脱落防止用ピンが通過する共用溝となっており、
前記カムピン及び前記脱落防止用ピンが移動する方向から見た場合、前記カム溝は、前記脱落防止用溝よりも溝深さが深く、
前記共用溝の形状は、衝撃を受けない場合、前記脱落防止用ピンが前記共用溝に当接しない形状であり、前記カムピンが前記共用溝に当接する形状であることを特徴とする撮像装置。
【請求項２】
前記カムピン及び前記脱落防止用ピンが移動する方向から見た場合、前記共用溝の形状は、溝の開口部の径が溝の底部の径よりも広く、前記カムピン及び前記脱落防止用ピンが移動する方向から見た場合、前記共用溝の形状は、段差を有する２つの台形が積み重ねられた２段構造であり、
前記共用溝の形状は、衝撃を受けない場合、前記脱落防止用ピンが前記共用溝の開口部に近い前記脱落防止用溝の側面に当接しない形状であり、前記カムピンが前記共用溝の底部に近い前記カム溝の側面に当接する形状であることを特徴とする請求項１に記載の撮像装置。
【請求項３】
前記カム溝及び前記脱落防止用溝にそれぞれ係合する前記カムピン及び脱落防止用ピンは、それぞれ先端部が切除された錐形を呈しており、前記カム溝、前記脱落防止用溝、前記カムピン及び前記脱落防止用ピンは、ヘリコイドとして構成されていることを特徴とする請求項２に記載の撮像装置。
【発明の詳細な説明】
【技術分野】
【０００１】
本発明は、撮像装置に関し、特に、カムピンをカム溝に係合させたズーム繰出し機構を備えた沈胴式レンズ鏡筒を有する撮像装置に関する。
【背景技術】
【０００２】
従来、沈胴式のズームレンズ鏡筒（以下、沈胴式レンズ鏡筒という）を有するデジタルカメラ等の光学機器が広く普及している。沈胴式レンズ鏡筒におけるズーム繰出し機構としては、レンズ鏡筒に形成されたカムピンを移動カム環に形成されたカム溝に係合させ、移動カム環を回転駆動することで、レンズ鏡筒をカム溝に従って光軸方向に進退させる駆動機構が知られている。このようなカムピンをカム溝に係合させたズーム繰出し機構では、外力が加わった際にカムピンがカム溝から脱落し、レンズ鏡筒が進退不能となることを防止する必要がある。
【０００３】
この脱落防止技術としては、例えば、特許文献１の技術が提案されている。この特許文献１では、レンズ鏡筒にはカムピンの他に脱落防止用ピンを形成し、移動カム環には、それぞれのピンに係合するカム溝と脱落防止用溝とを形成し、更に、脱落防止用溝の光軸方向の一方の側には、第一突起を形成している。これにより、ズーム繰出し時に脱落防止用ピンが第一突起と当接することで、カムピンがカム溝から脱落するのを防止するようにしている。
【先行技術文献】
【特許文献】
【０００４】
【特許文献１】特開２００５−１２８１８８号公報
【発明の概要】
【発明が解決しようとする課題】
【０００５】
しかしながら、特許文献１においては、カム溝と脱落防止用溝の形状は、同一の形状となっており、また、カム溝と脱落防止用溝は、互いに独立した別個の溝として形成されている。
【０００６】
したがって、特許文献１では、カム溝と脱落防止用溝は、これら溝によりレンズ鏡筒が光軸方向へ同期して移動するようにするためには、換言すれば、同一のカム軌跡となるようにするためには、光軸方向に間隔を空けて形成する必要があった。
【０００７】
そのため、特許文献１では、移動カム環の光軸方向の長さが長くなり、レンズ鏡筒、ひいてはレンズ鏡筒を用いた撮像装置等の光学機器を小型化する上で障害となっていた。
【０００８】
本発明は、このような従来技術の背景の下になされたもので、その目的は、小型化を阻害することなく耐衝撃性を向上させることができる沈胴式レンズ鏡筒を有する撮像装置を提供することにある。
【課題を解決するための手段】
【０００９】
上記目的を達成するために、本発明は、カムピンが形成されたレンズ鏡筒と、前記カムピンが係合するカム溝が形成されたカム環と、を備え、前記カム環の回転により前記レンズ鏡筒を光軸方向に移動させる撮像装置であって、前記レンズ鏡筒には、前記カムピンの前記カム溝からの脱落を防止するための脱落防止用ピンが形成され、前記カム環には、前記脱落防止用ピンが係合する脱落防止用溝が形成され、前記カム溝及び前記脱落防止用溝は、テレ位置とワイド位置の間の領域において重畳されておらず、沈胴位置とワイド位置の間の領域において重畳されて前記カムピン及び前記脱落防止用ピンが通過する共用溝となっており、前記カムピン及び前記脱落防止用ピンが移動する方向から見た場合、前記カム溝は、前記脱落防止用溝よりも溝深さが深く、前記共用溝の形状は、衝撃を受けない場合、前記脱落防止用ピンが前記共用溝に当接しない形状であり、前記カムピンが前記共用溝に当接する形状であることを特徴とする。
【発明の効果】
【００１０】
本発明によれば、撮像装置における沈胴式レンズ鏡筒の小型化を阻害することなく耐衝撃性を向上させることが可能となる。
【図面の簡単な説明】
【００１１】
【図１】本発明の実施の形態に係る沈胴式レンズ鏡筒を搭載したデジタルカメラの外観斜視図であり、図１（ａ）は沈胴状態、図１（ｂ）は繰り出し状態を示している。
【図２】上記デジタルカメラのハードウェアの構成を示すブロック図である。
【図３】上記デジタルカメラに搭載されたレンズ鏡筒の断面図である（沈胴状態）。
【図４】上記デジタルカメラに搭載されたレンズ鏡筒の断面図である（繰り出し状態）。
【図５】上記レンズ鏡筒の移動カム環の内周面展開図である。
【図６】上記レンズ鏡筒における１群鏡筒の外観斜視図である。
【図７】移動カム環に形成されたカム溝、サブカム溝と、これらカム溝に係合されるカムピン、サブカムピンとの関係を説明するための図である。
【発明を実施するための形態】
【００１２】
以下、本発明を実施するための形態を図面に基づいて説明する。
【００１３】
図１は、本発明の実施の形態に係る沈胴式レンズ鏡筒を搭載したデジタルカメラの外観斜視図であり、図１（ａ）は沈胴式レンズ鏡筒の沈胴体状態、図１（ｂ）は沈胴式レンズ鏡筒の繰り出し状態を示している。
【００１４】
図１（ａ）、（ｂ）に示すように、デジタルカメラ１００の前面には、補助光窓３３Ａ、ファインダ窓３４Ａ、ストロボ光窓３５Ａと共に、沈胴式レンズ鏡筒３６が取り付けられている。
【００１５】
補助光窓３３Ａからは、測光及び測距を行う際に補助光が被写体に向けて照射される。ファインダ窓３４Ａからは、被写体の光学像がカメラ内部に取り込まれ、その被写体像は、デジタルカメラ１００の背面に設けられたファインダ接眼部３４Ｂを介して観察することができる。ストロボ光窓３５Ａからは、シャッタ開成時にストロボ光が被写体に向けて照射される。沈胴式レンズ鏡筒３６は、画角を変倍する際に、図１（ｂ）に示すように被写体の方向へレンズ鏡筒が繰り出される。
【００１６】
また、デジタルカメラ１００の上面には、レリーズスイッチボタン３０Ａ、ズームダイヤル３１Ａ、及び電源スイッチボタン３２Ａが取り付けられている。なお、デジタルカメラ１００の背面には、ファインダ接眼部３４Ｂの他に、ディスプレイ３８、操作スイッチ群３９（図２参照）の各ボタンが設けられている。
【００１７】
レリーズスイッチボタン３０Ａは、レリーズスイッチ３０（図２参照）に連接されている。なお、レリーズスイッチ３０は、レリーズスイッチボタン３０Ａの第１の押下ストロークでオンする第１のスイッチと、第２の押下ストロークでオンする第２のスイッチを有している。第１のスイッチがオンすることで、上記の補助光による測光及び測距が行われる。また、第２のスイッチがオンすることで、シャッタ５０（図２参照）が開成され、上記のストロボ光による撮影が行われる。
【００１８】
ズームダイヤル３１Ａは、複数の固定接点を有するズームスイッチ３１（図２参照）に連接され、その回転量に応じたスイッチがオンすることで変倍率が決定される。この場合、変倍率に応じて沈胴式レンズ鏡筒３６の繰り出し量が決定される。電源スイッチボタン３２Ａは、電源スイッチ３２（図２参照）に連接されている。この電源スイッチ３２がオフされている場合は、沈胴式レンズ鏡筒３６は、図１（ａ）に示す沈胴状態となっている。
【００１９】
次に、デジタルカメラ１００のハードウェアの概略構成を図２に基いて説明する。デジタルカメラ１００は、駆動回路６０、バス６１を有している。駆動回路６０には、ストロボ３５、ズームモータ駆動部４７、フォーカスモータ駆動部４８、シャッタ駆動部５１、絞り駆動部５３、及び撮像デバイス４が接続されている。
【００２０】
バス６１には、レリーズスイッチ３０、操作スイッチ群３９、ディスプレイ３８、電源スイッチ３２、ズームスイッチ３１、画像メモリ５７、圧縮／伸張部５８、メモリカードドライブ５９、ＲＯＭ６２、ＣＰＵ６３、及びＲＡＭ６４が接続されている。
【００２１】
デジタルカメラ１００の制御は、ＣＰＵ６３がＲＯＭ６２に格納された制御プログラムを実行することにより行われる。この際、ＣＰＵ６３は、ＲＡＭ６４をワークエリア等として利用する。
【００２２】
ズームモータ駆動部４７は、ＣＰＵ６３の制御の下に、ズームモータ４９の回転を制御することにより、レンズ鏡筒３６中の駆動環２４（図３，４参照）を回転させる。また、フォーカスモータ駆動部４８は、ＣＰＵ６３の制御の下に、ＡＦモータ２７の回転を制御することにより、フォーカスレンズ（３群鏡筒１３：図３，４参照）を光軸方向に移動させる。絞り駆動部５３は、ＣＰＵ６３の制御の下に、絞り１４を駆動制御してその開口度を変化させる。
【００２３】
なお、ディスプレイ３８は、ＬＣＤ等により構成され、画像メモリ５７に保存された画像データや、メモリカードドライブ５９を介してメモリカードから読み込んだ画像データを表示することができる。この場合、ズームスイッチ３１を操作することにより、ディスプレイ３８上に表示されている画像データを拡大／縮小させる、所謂、デジタルズームを行うことも可能である。操作スイッチ群３９としては、デジタルカメラ１００の動作モード、例えば撮影モード、再生モード、動画撮影モードの選択等を行うための各種のスイッチを有している。
【００２４】
また、撮像デバイス４としては、本実施の形態では、ＣＣＤを用いているが、ＣＭＯＳ等の他の撮像素子を用いることも可能である。このＣＣＤ４の後段には、順次、アナログ信号処理部５４、Ａ／Ｄ変換部５５、デジタル信号処理部５６、画像メモリ５７が接続されている。なお、図示省略したが、バス６１には、補助光を発光させるためのＬＥＤ等の他のデバイスも接続されている。
【００２５】
次に、デジタルカメラ１００の動作を説明する。電源ボタン３２Ａに押下操作により電源スイッチ３２がオンされると、ＣＰＵ６３は、ＲＯＭ６２から制御プログラムを読み出して初期動作を開始する。この初期動作では、ＣＰＵ６３は、レンズ鏡筒３６を所定の撮影可能領域に移動させて、撮影スタンバイ状態とする。
【００２６】
レリーズボタン３０Ａの押下操作によりレリーズスイッチ３０の第１のスイッチがオンされると、ＣＰＵ６３は、補助光を発光させた上で被写体の明るさを測光し、その測光値に基づき絞り１４の絞り値、シャッタ５０のシャッタスピードを決定する。この際、ＣＰＵ６３は、ストロボ３５を発光するか否かを自動的に判断することができる。ただし、操作スイッチ群３９の所定のスイッチにより、ユーザが予めストロボ３５を強制的に発光させるか否かを指示し、ＣＰＵ６３が、この指示に応じてストロボ３５を発光するか否かを決定することも可能である。
【００２７】
次に、ＣＰＵ６３は、被写体とデジタルカメラ１００の距離を測距し、この測距結果に応じて、フォーカスモータ駆動部４８によりＡＦモータ２７を回転駆動させて、３群鏡筒（フォーカスレンズ）１３を合焦位置へ移動させる。また、ＣＰＵ６３は、ズームダイヤル３１Ａの回転操作により、ズームスイッチ３１の或るスイッチがオンされると、ズームモータ駆動部４７により、オンに係るスイッチに対応するズーム位置にレンズ鏡筒３６を移動させる。
【００２８】
レリーズボタン３０Ａの押下操作によりレリーズスイッチ３０の第２のスイッチがオンされると、ＣＰＵ６３は、シャッタ駆動部５１により、シャッタ５０を開閉させ、被写体像（光学像）をＣＣＤ４に入射させる。これにより、ＣＣＤ４には、被写体像の光量に応じた電荷が蓄積され、その電荷がアナログの画像信号としてアナログ信号処理部５４に出力される。
【００２９】
アナログ信号処理部５４は、入力されたアナログの画像信号からノイズ成分を除去する等のアナログ信号処理を行い、Ａ／Ｄ変換部５５に出力する。Ａ／Ｄ変換部５５は、入力されたアナログ画像信号をデジタル画像信号に変換し、デジタル信号処理部５６に出力する。
【００３０】
デジタル信号処理部５６は、入力されたデジタル画像信号に対してγ補正処理等のデジタル信号処理を施し、デジタルの画像データとして画像メモリ５７に記憶させる。画像メモリ５７に記憶された画像データは、操作スイッチ群３９のスイッチ操作に応じて、圧縮／伸張部５８によりＪＰＥＧ等の圧縮処理を施して、メモリーカードに保存することができる。
【００３１】
次に、沈胴式レンズ鏡筒３６の構成について、図３〜図７に基いて詳細に説明する。
【００３２】
図３、図４において、１は変倍作用を持つ１群レンズ、２は変倍作用を持つ２群レンズ、３はフォーカスと像面補正を司る３群レンズ、４は撮像デバイスとしてのＣＣＤである。
【００３３】
１１、１２、１３は、１群レンズ１、２群レンズ２、３群レンズ３をそれぞれ光軸方向に移動可能に保持する１群鏡筒、２群鏡筒、３群鏡筒である。１群鏡筒１１と２群鏡筒１２は、移動カム環２１により保持されている。この移動カム環２１の内周には、カム溝が形成されている。１４は入射光量を調節する絞りであり、１群鏡筒１１と２群鏡筒１２と同様に移動カム環２１により保持されている。
【００３４】
２２は固定筒であり、その内周に形成されたカム溝により移動カム環２１を移動可能に保持している。２３はＣＣＤホルダであり、ＣＣＤ４を保持すると共に、固定筒２２が固定されている。２４は移動カム環２１を回転させる駆動環、２５は１群鏡筒１１、２群鏡筒１２の回転を抑制して直進移動させる直進ガイド環である。２６はカバー筒であり、ＣＣＤホルダ２３に固定され、駆動環２４の光軸方向の移動を規制している。
【００３５】
次に、レンズ鏡筒３６の動作を説明する。駆動環２４の光軸方向の移動は、カバー筒２６に形成されたフランジ部２６ａと、固定筒２２の後端部に形成されたフランジ部２２ｃとで規制される。従って、ズームモータ４９の回転力が、不図示のギア系を介して、駆動環２４の外周に設けられたギア部に伝達されることで、駆動環２４は、光軸周りに回転する。
【００３６】
駆動環２４の内周面には、光軸方向に均一の幅を有する３つの直進ガイド溝２４ａが形成されている。また、移動カム環２１の外周には、３本のカムピン２１ａが植立され、固定筒２２の内周面に形成された３つのカム溝２２ａと係合している。
【００３７】
カムピン２１ａの略後方には、３本の駆動ピン２１ｂが植立されている。これら３本の駆動ピン２１ｂは、それぞれ、固定筒２２に形成された３つのガイド孔２２ｂを貫通して、駆動環２４に形成された３つの直進ガイド溝２４ａと摺動可能に嵌合している。
【００３８】
このような構成により、駆動環２４が回転すると、その回転力は駆動ピン２１ｂを通じて移動カム環２１に伝達されて、移動カム環２１が回転することとなる。そして、移動カム環２１は、その回転により、固定筒２２のカム溝２２ａに沿って光軸方向に移動することになる。
【００３９】
直進ガイド環２５は、移動カム環２１に対して光軸方向への相対的な移動が規制されている。また、直進ガイド環２５は、固定筒２２の内周側に設けられた不図示の直進ガイドに直進可能に嵌合しており、これにより、直進ガイド環２５の回転方向の移動が規制されている。従って、移動カム環２１が回転しながら固定筒２２のカム溝２２ａに沿って光軸方向に移動すると、直進ガイド環２５は、移動カム環２１の光軸方向の移動に追従して光軸方向にのみ移動することとなる。
【００４０】
移動カム環２１の内周に形成されたカム溝２１ｃ、２１ｄ、２１ｅには、それぞれ、１群鏡筒１１、２群鏡筒１２、絞り１４が保持されている。１群鏡筒１１、２群鏡筒１２、及び絞り１４は、直進ガイド環２５により回転移動が抑制されているため、移動カム環２１が回転移動すると、それぞれ、カム溝２１ｃ、２１ｄ、２１ｅに沿って光軸方向にのみ移動することになる。
【００４１】
１群鏡筒１１には、レンズバリア１１ａが設けられ、沈胴状態では、レンズバリア１１ａにより撮影光学系の光路が遮断される。２群鏡筒１２には、シャッタ５０や手ぶれ補正機構（図示省略）が設けられ、これらシャッタ５０、手ぶれ補正機構は、２群鏡筒１２と一体的に光軸方向に移動する。
【００４２】
３群鏡筒１３は、リードスクリュー機構により光軸方向に移動する。すなわち、ＡＦモータ２７は、ＣＣＤホルダ２３に固定されており、その回転軸にはリードスクリュー２７ａが取付けられている。このリードスクリュー２７ａには、３群鏡筒１３の腕部１３ａの先端に固着されたナット１５が螺合されている。従って、３群鏡筒１３は、リードスクリュー２７ａの回転に伴って、光軸方向に移動する。
【００４３】
次に、１群鏡筒１１のカムピン脱落防止機構を、図５〜図７に基いて説明する。図５は、移動カム環２１の内周面展開図である。図５に示すように、移動カム環２１の内周には、１群用カム溝２１ｃ、２群用カム溝２１ｄ、絞り用カム溝２１ｅが、それぞれ、３つずつ形成されている。
【００４４】
さらに、移動カム環２１の内周には、１群用カム溝２１ｃに係合している１群鏡筒１１のカムピン１１ｂが、１群用カム溝２１ｃから脱落するのを防止するための３つの脱落防止用のサブカム溝２１ｆが形成されている。なお、３つの１群用カム溝２１ｃ、２群用カム溝２１ｄ、絞り用カム溝２１ｅ、及び脱落防止用のサブカム溝２１ｆは、それぞれ、１２０°の等間隔で形成されている。
【００４５】
これらカム溝１２ｃ，１２ｄ，１２ｅ，１２ｆには、組込み位相である「ＡＳＳＹ」、電源ＯＦＦ時の沈胴位置である「ＳＩＮＫ」、撮影位置である広角端「ＷＩＤＥ」、望遠端「ＴＥＬＥ」が存在する。また、カム溝１２ｃ，１２ｄ，１２ｅ，１２ｆは、それぞれ、組込み位相「ＡＳＳＹ」にて、移動カム環２１の後端部で開口している。
【００４６】
また、組み込み位相である「ＡＳＳＹ」を除く「ＳＩＮＫ」から「ＴＥＬＥ」までが常用領域であり、その常用領域の中で「ＳＩＮＫ」から「ＷＩＤＥ」までが繰出し領域、「ＷＩＤＥ」から「ＴＥＬＥ」までが変倍領域となる。
【００４７】
脱落防止用溝としてのサブカム溝２１ｆのカム軌跡は、１群用カム溝２１ｃのカム軌跡とほぼ同様となっている。また、脱落防止用のサブカム溝２１ｆは、１群用カム溝２１ｃよりも光軸方向において後方（カメラ内部側）に形成すると共に、位相（図５の左右方向の位置）が１群用カム溝２１ｃと異なっている。
【００４８】
そして、サブカム溝２１ｆと１群用カム溝２１ｃとのカム軌跡は、繰出し領域の一部の領域Ｔ、すなわち沈胴位置に近い領域Ｔでは、合流する形態で重畳されてサブピン(脱落防止用ピン)１１ｃとカムピン１１ｂとが共通に係合される共用溝となっている。
【００４９】
これにより、１群用カム溝２１ｃ及びサブカム溝２１ｆ（共用溝）と２群用カム溝２１ｄとの隙間Ｓ１と、１群用カム溝２１ｃ及びサブカム溝２１ｆ（共用溝）と絞り用カム溝２１ｅとの隙間Ｓ２とを、狭くすることができる。
【００５０】
なお、上記の隙間Ｓ１とＳ２は、光軸方向（Ｚ方向）、及び光軸方向と直交する方向（位相）の両方向の隙間を包含している。これは、隙間Ｓ１，Ｓ２を狭くすることができるということは、レンズ鏡筒３６の光軸方向の長さを短くすることができるだけでなく、レンズ鏡筒３６の径を小さくすることができることをも意味する。
【００５１】
従って、本実施の形態では、胴式レンズ鏡筒において、耐衝撃性を向上させるべく脱落防止用のサブカム溝２１ｆを新たに形成したとしても、小型化が阻害されることはない。
換言すれば、脱落防止用のサブカム溝２１ｆを、沈胴位置に近い領域Ｔにおいて１群用カム溝２１ｃと合流させる形態で重畳して共用溝とすることで、サブカム溝２１ｆを他のカム溝に影響を与えること無く配備することができ、カム溝の配備形態の自由度が高くなる。
【００５２】
この結果、脱落防止用のサブカム溝２１ｆを新たに形成したとしても、レンズ鏡筒３６の沈胴長及び径が大きくなることが無く、レンズ鏡筒３６の外力に対する強度向上を図りつつ、レンズ鏡筒３６、ひいてはデジタルカメラ１００の小型化が可能となる。
【００５３】
次に、１群用カム溝２１ｃ、脱落防止用のサブカム溝２１ｆと、これらカム溝に係合されるカムピン１１ｂ、サブカムピン１１ｃとの関係を、図７に基づいて説明する。
【００５４】
図７（ａ）はカムピン１１ｂと１群用カム溝２１ｃとの関係、図７（ｂ）は沈胴位置に近い領域Ｔでのカムピン１１ｂと１群用カム溝２１ｃとの関係を示している。また、図７（ｃ）はサブピン１１ｃと脱落防止用のサブカム溝２１ｆとの関係、図７（ｄ）は沈胴位置に近い領域Ｔでのサブピン１１ｃと脱落防止用のサブカム溝２１ｆとの関係を示している。
【００５５】
図７（ｄ）に示すように、沈胴位置に近い領域Ｔ、すなわち、共用溝の部分でのカム溝２１ｃ、サブカム溝２１ｆの溝深さは、それぞれｄ１、ｄ２であり、カム溝２１ｃの方がサブカム溝２１ｆより溝深さが深くなっている。このように、共用溝の部分で２本のカム溝の溝深さを異ならせることで、１群鏡筒１１の繰り出し機能、及び脱落防止機能を損なうことなく、カム軌跡を共用することを可能としている。
【００５６】
図７（ａ）に示すように、カムピン１１ｂは、沈胴位置に近い領域Ｔ以外の領域、すなわち共用溝の部分以外の領域では、通常通り、１群用カム溝２１ｃから脱落しないために必要な係り量Ｌ１を確保している。しかし、図７（ｂ）に示すように、沈胴位置に近い領域Ｔ（共用溝の部分）においては、サブカム溝２１ｆの溝幅の方が１群用カム溝２１ｃの溝幅よりも広くなっているため、カムピン１１ｂの係り量はＬ１よりも少ないＬ２となる。
【００５７】
しかしながら、カムピン１１ｂが落下等により外力を受けてしまうのは撮影位置である「ＷＩＤＥ」から「ＴＥＬＥ」までの変倍領域であり、共用溝の部分では外力を受け難い。従って、共用溝の部分では、１群用カム溝２１ｃに沿って光軸方向に進退するために必要な係り量だけを確保しておけばよく、カムピン１１ｂの係り量がＬ１より少ないＬ２であっても、カムピン１１ｂが１群用カム溝２１ｃから脱落する虞は殆ど無い。
【００５８】
図７（ｃ），（ｄ）に示すように、サブピン１１ｃと脱落防止用のサブカム溝２１ｆとの関係は、共用溝の部分であるか否かを問わず、全ての領域で一定である。また、サブピン１１ｃは、サブカム溝２１ｆとの摩擦抵抗を無くして１群鏡筒１１の移動を妨げないようにするために、衝撃が加えられない通常の使用状態においては、サブカム溝２１ｆに対して当接せず、常に一定の隙間を持っている。
【００５９】
そして、サブピン１１ｃは、外力を受けたときにのみ、サブカム溝２１ｆの側面に当接してカムピン１１ｂに加わる外力を分散し、カムピン１１ｂが１群用カム溝２１ｃから脱落するのを防止する。
【００６０】
なお、図６、及び図７（ａ）〜（ｄ）に示すように、カムピン１１ｂと１群用カム溝２１ｃ、サブピン１１ｃとサブカム溝２１ｆとは、先端部が台形のヘリコイドとして構成されている。この点からも、レンズ鏡筒３６の外力に対する強度向上を図りつつ、レンズ鏡筒３６、ひいてはデジタルカメラ１００の小型化が可能となる。
【００６１】
本発明は、上記の実施の形態に限定されることなく、例えば、１群鏡筒以外の２群鏡筒等の他の群の鏡筒についても、１群鏡筒と同様の脱落防止機構を形成することも可能である。また、デジタルカメラ以外のカメラ等の撮像装置や電子顕微鏡、携帯電話等の光学機器に搭載された沈胴式レンズ鏡筒に上記の実施の形態の技術思想を適用することも可能である。
【符号の説明】
【００６２】
１１…１群鏡筒
１１ｂ…カムピン
１１ｃ…サブピン（脱落防止用）
２１…移動カム環
２１ｃ…１群用カム溝
２１ｆ…サブカム溝（脱落防止用）
３６…レンズ鏡筒
【図１】
0005473473.tif 000002
【図２】
0005473473.tif 000003
【図３】
0005473473.tif 000004
【図４】
0005473473.tif 000005
【図５】
0005473473.tif 000006
【図６】
0005473473.tif 000007
【図７】
0005473473.tif 000008